(57)【要約】【課題】  筆記後の筆記描線を消しゴムなどで消去することができる消しゴム消去性筆記具用水性インク組成物を提供する。【解決手段】  少なくとも黒鉛を０．５〜１０質量％及びアルブミンを０．１〜５質量％含有することを特徴とする消しゴム消去性筆記具用水性インク組成物。【選択図】なし【特許請求の範囲】
【請求項１】
少なくとも黒鉛を０．５〜１０質量％及びアルブミンを０．１〜５質量％含有することを特徴とする消しゴム消去性筆記具用水性インク組成物。
【請求項２】
黒鉛の平均粒子径が５〜５０μｍであることを特徴とする請求項１記載の消しゴム消去性筆記具用水性インク組成物。
【請求項３】
請求項１又は２に記載の消しゴム消去性筆記具用水性インク組成物を搭載したことを特徴とする筆記具。
【発明の詳細な説明】
【技術分野】
【０００１】
本発明は、筆記後の筆記描線を消しゴムで消去することができる消しゴム消去性筆記具用水性インク組成物に関する。
【背景技術】
【０００２】
従来より、消しゴムにより筆記描線を消去することができる消しゴム消去性インク組成物は、数多くのものが知られている。
例えば、少なくとも着色剤、造膜樹脂、水溶性有機溶剤及び水を含有する消去性インク組成物において、前記着色剤は、平均粒子径が２μｍ以上であり、インク成分全量に対して１０〜２０質量％含まれ、前記造膜樹脂は、水性樹脂エマルションであり、インク成分全量に対して固形分が０．１〜１０質量％含まれ、前記水性樹脂エマルションに用いられる樹脂粒子の平均粒子径が２μｍ以下であり、かつガラス転移温度が２５〜４５℃であり、前記水溶性有機溶剤が、インク成分全量に対して５〜２０質量％含まれることを特徴とする消去性インク組成物（例えば、特許文献１参照）が知られている。
【０００３】
しかしながら、上記特許文献１の発明を一つの例とする消しゴム消去性を有するインク組成物は、比較的大きな色材と、それを紙面に固着し、耐擦過性を付与するための樹脂成分を含んでいるものである。
固着のための樹脂成分は、筆記具の性能に幾つかの影響を与える。例えば、キャップオフ性の低下、初筆性の低下、書き味の低下などの課題が挙げられる。
【先行技術文献】
【特許文献】
【０００４】
【特許文献１】特開２００９−２４９５４５号公報（特許請求の範囲、実施例等）
【発明の概要】
【発明が解決しようとする課題】
【０００５】
本発明は、上記従来技術の課題などに鑑み、これを解消しようとするものであり、固着のための樹脂成分を含まずとも、耐擦過性が良好で消しゴム消去性に優れた消しゴム消去性筆記具用水性インク組成物を提供することを目的とする。
【課題を解決するための手段】
【０００６】
本発明者らは、上記従来の課題等に鑑み、鋭意研究を行った結果、少なくとも黒鉛を特定の範囲で含有すると共に、アルブミンを特定の範囲で含有することにより、上記目的の消しゴム消去性筆記具用水性インク組成物が得られることを見出し、本発明を完成するに至ったのである。
【０００７】
すなわち、本発明の消しゴム消去性筆記具用水性インク組成物は、以下のものである。
（１）  少なくとも黒鉛を０．５〜１０質量％及びアルブミンを０．１〜５質量％含有することを特徴とする消しゴム消去性筆記具用水性インク組成物。
（２）  黒鉛の平均粒子径が５〜５０μｍであることを特徴とする上記（１）記載の消しゴム消去性筆記具用水性インク組成物。
（３）  上記（１）又は（２）に記載の消しゴム消去性筆記具用水性インク組成物を搭載したことを特徴とする筆記具。
【発明の効果】
【０００８】
本発明によれば、固着のための樹脂成分を含まずとも耐擦過性が良好で消しゴム消去性に優れた消しゴム消去性筆記具用水性インク組成物及びこのインク組成物を搭載した筆記具が提供される。
【発明を実施するための形態】
【０００９】
以下に、本発明の実施形態を詳しく説明する。
本発明の消しゴム消去性筆記具用水性インク組成物は、少なくとも黒鉛を０．５〜１０質量％及びアルブミンを０．１〜５質量％含有することを特徴とするものである。
【００１０】
本発明に用いる黒鉛としては、例えば、燐片状黒鉛、鱗状（塊状）黒鉛、土状黒鉛、球状化黒鉛、薄片化黒鉛、人造黒鉛、キッシュ黒鉛、膨張黒鉛、膨張化黒鉛などの少なくとも１種を挙げることができる。
これらの中で、好ましくは、鱗片状黒鉛の使用が望ましい。鱗片状黒鉛は、扁平形状（鱗片状）であり、かつ自己潤滑を有しているため耐擦過性が良好となるものである。
特に好ましい鱗片状黒鉛の平均粒子径は、消しゴムによる消去性と耐擦過性とを高度に両立する点から、１〜７０μｍとなるものが望ましく、特に５〜５０μｍが望ましい。
この鱗片状黒鉛の平均粒子径が１μｍ未満であると消去性が悪くなる傾向となり、一方、７０μｍを超えると、耐擦過性が低下することとなる。
本発明（後述する実施例等も含む）において、「平均粒子径」は、粒子径分布解析装置ＨＲＡ９３２０−Ｘ１００（日機装株式会社製）を用いて、屈折率１．８１、体積基準により算出されたＤ５０の値である。
【００１１】
鱗片状黒鉛の市販品としては、ＵＰ−５Ｎ、ＵＰ−２０ＮなどのＵＰシリーズ（以上、日本黒鉛社製）、Ｚ−２５、Ｚ−５０、Ｚ−１００、Ｘ−１０、Ｘ−２０、Ｘ−１００（以上、伊藤黒鉛工業社製）、ＵＦ−２、ＢＦ−３Ａ、ＢＦ−５Ａ、ＢＦ−８Ａ、ＢＦ−１０Ａ、ＢＦ−２０Ａ（以上、富士黒鉛工業社製）などが挙げられる。
【００１２】
これらの黒鉛の含有量は、インク組成物全量に対して、０．５〜１０質量％、好ましくは、０．５〜７質量％、特に好ましくは、０．５〜５質量％である。
この黒鉛の含有量が０．５質量％未満であると、描線の濃度が不足し、一方、１０質量％を超えると、描線濃度は変わらないがコストなどの面で好ましくない。
【００１３】
本発明に用いるアルブミンは、上記黒鉛に対して優れた分散性を付与する成分となるものである。用いることができるアルブミンは、由来種等は特に制限することなく用いることができ、例えば、牛血清由来のアルブミン（Ｂｏｖｉｎｅ  Ｓｅｒｕｍ  Ａｌｂｕｍｉｎ；ＢＳＡ）、牛胎児血清由来のアルブミン（Ｆｅｔａｌ  Ｂｏｖｉｎｅ  Ｓｅｒｕｍ；ＦＢＳ）、卵白中に含有するオボアルブミン、乳中のラクトアルブミン等が挙げられる。
【００１４】
これらのアルブミンの含有量は、インク組成物全量に対して、０．１〜５質量％、好ましくは、０．５〜３質量％、特に好ましくは、０．５〜２．５質量％である。
このアルブミンの含有量が０．１質量％未満であると、本発明の効果が得られず、一方、５質量％を超えると、消しゴムによる消去性が低下することとなる。
【００１５】
本発明の消しゴム消去性筆記具用水性インク組成物において、上記各成分の他、残部として溶媒である水（水道水、精製水、蒸留水、イオン交換水、純水等）、更に、筆記具水性インク組成物に通常用いられる各成分、例えば、水溶性有機溶剤、増粘剤、潤滑剤、防錆剤、防腐剤もしくは防菌剤、ｐＨ調整剤などを本発明の効果を損なわない範囲で、適宜含有することができる。
【００１６】
用いることができる水溶性有機溶剤としては、例えば、エチレングリコール、ジエチレングリコール、トリエチレングリコール、プロピレングリコール、ポリエチレングリコール、３−ブチレングリコール、チオジエチレングリコール、グリセリン等のアルコール類や、エチレングリコールモノメチルエーテル、ジエチレングリコールモノメチルエーテル等が挙げられ、これらは一種もしくは二種以上を混合して使用することができる。
これらの水溶性有機溶剤の含有量は、インク組成物毎に適宜調整され、インク組成物全量に対して、おおよそ１質量％〜３０質量％の範囲であることが一般的である。
【００１７】
用いることができる増粘剤としては、例えば、合成高分子、セルロースおよび多糖類からなる群から選ばれた少なくとも一種が望ましい。具体的には、アラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩、ポリビニルピロリドン、ポリビニルメチルエーテル、ポリアクリル酸及びその塩、ポリエチレシオキサイド、酢酸ビニルとポリビニルピロリドンの共重合体、スチレン−アクリル酸共重合体及びその塩などが挙げられる。
【００１８】
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、リン酸エステル、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。
また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンゾイソチアゾリン、ベンズイミダゾール系化合物などが挙げられる。
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア、アミノメチルプロパノール等が挙げられる。
本発明に用いる樹脂粒子としては、分散安定性、バインダーや目止効果を目的としたものであり、特に限定されないが、例えば、ポリスチレン系樹脂粒子、ポリウレタン系樹脂粒子、アクリル系樹脂粒子、ポリエチレンワックスエマルション、ポリプロピレンワックスエマルションなどのオレフィン系ワックスエマルションなどから選ばれる少なくとも１種を挙げることができる。
【００１９】
本発明の消しゴム消去性筆記具用水性インク組成物は、上記黒鉛を０．５〜１０質量％、アルブミンを０．１〜５質量％、水、その他の各成分を筆記具用（ボールペン用、マーキングペン用等）インクの用途に応じて適宜組み合わせて、ホモミキサー、ホモジナイザーもしくはディスパー等の攪拌機により攪拌混合することにより、更に必要に応じて、ろ過や遠心分離によってインク組成物中の粗大粒子を除去することなどによって調製することができる。
【００２０】
本発明の消しゴム消去性筆記具用水性インク組成物は、ボールペンチップ、繊維チップ、フェルトチップ、プラスクチップなどのペン先部を備えたボールペン、マーキングペン等に搭載される。
本発明におけるボールペンとしては、上記組成の消しゴム消去性筆記具用水性インク組成物をボールペン用インク収容体（リフィール）に収容すると共に、該インク収容体内に収容された上記インク組成物とは相溶性がなく、かつ、該インク組成物に対して比重が小さい物質、例えば、ポリブテン、シリコーンオイル、鉱油等がインク追従体として収容されるものが挙げられる。
なお、ボールペン、マーキングペンの構造は、特に限定されず、例えば、軸筒自体をインク収容体として該軸筒内に上記構成の筆記具用水性インク組成物を充填したコレクター構造（インク保持機構）を備えた直液式のボールペン、マーキングペンであってもよいものである。
【００２１】
このように構成される本発明の消しゴム消去性筆記具用水性インク組成物が、何故、固着のための樹脂成分を含まずとも耐擦過性が良好で消しゴム消去性に優れた消しゴム消去性筆記具用水性インク組成物となるのは以下のように推測される。
従来の消しゴム消去性筆記具用水性インク組成物において、固着のための樹脂成分を用いると、キャップオフ性の低下、初筆性の低下、書き味の低下などの課題が顕在化する傾向がみられるものであるが、本発明では、固着のための樹脂成分を用いなくとも、黒鉛０．５〜１０質量％及びアルブミン０．１〜５質量％を少なくとも含有せしめることにより、アルブミンが黒鉛の分散剤と共に固着剤としても機能するので、インク組成物中の固形分を少なくすることが可能となり、耐擦過性が良好で消しゴム消去性に優れた機能を発揮するものとなる。
【実施例】
【００２２】
次に、実施例及び比較例により本発明を更に詳細に説明するが、本発明は下記実施例等に限定されるものではない。
【００２３】
〔実施例１〜６及び比較例１〜６〕
下記表１に示す配合組成により各消しゴム消去性筆記具用水性インク組成物を調製した。
得られた実施例１〜３、５，６及び比較例１〜６の筆記具用水性インク組成物を下記構成の水性ボールペン体（三菱鉛筆社製、ｕｎｉ−ｂａｌｌ  Ｓｉｇｎｏ）のインク収容管に充填した。
インキ収容管：形状：円筒状、内径４．０ｍｍ、ポリプロピレン製、長さ１１５ｍｍボール径：０．７ｍｍ、ボール材質：超硬
【００２４】
また、実施例３の筆記具用水性インク組成物については、下記構成のマーキングペンに充填した。
三菱鉛筆社製ＰＭ−１２０Ｔ（商品名「プロッキー」、ペン芯：極細芯（ＰＯＭ樹脂芯）及び細字丸芯（ＰＥＴ繊維芯）、以下同様）のペン体に、実施例３の筆記具用水性インク組成物を充填してマーキングペンを作製した。マーキングペンに関する以下の評価は、細字丸芯を用いて行った。
得た各水性ボールペン、マーキングペンを用いて、下記評価方法で消去性、耐擦過性を評価した。これらの評価結果を下記表１に示す。
【００２５】
〔消しゴム消去性の評価方法〕
各ペン体をＩＳＯ規格に準拠した筆記用紙に、直径約２ｃｍの円を螺旋状に筆記し、１分経過後に、その描線を消しゴム（三菱鉛筆社製、ＥＰ−６０）にて消去した。この試験は、２５℃、６０％ＲＨの環境下で行い、下記の基準で評価した。
評価基準：◎：消しゴムにより筆記した描線が綺麗に消去される。
○：上記◎に較べ描線が若干残る部分がある。
△：上記◎に較べ描線が残る部分がある。
×：消しゴムにより筆記した描線は大部分消去されないで残る。
【００２６】
〔耐擦過性の評価方法〕
各ペン体をＩＳＯ規格に準拠した筆記用紙に、直径約２ｃｍの円を螺旋状に２０個筆記し、１分経過後に、その描線を指で軽く５回擦過した。この試験は、２５℃、６０％ＲＨの環境下で行い、下記の基準で評価した。
評価基準：
◎：指による描線を擦過しても、消えず耐擦過性が良好である。
○：上記◎に較べやや劣る。
△：上記◎に較べ劣る。
×：指による描線を擦過すると、ほぼ消える。
【００２７】
【表１】
2018002783.tif 000002
【００２８】
上記表１の結果から明らかなように、本発明となる実施例１〜６の消しゴム消去性筆記具用水性インク組成物は、本発明の範囲外となる比較例１〜６に較べ、耐擦過性、消しゴム消去性に優れることが判明した。
比較例１〜６を具体的に見ると、比較例１〜３は、実施例１〜３対比アルブミンを含有しない場合であり、また、比較例４〜６は、実施例１〜３対比アルブミンの含有量が本発明の範囲より超過する場合であり、これらの場合、本発明の効果を発揮できないことが確認された。
【産業上の利用可能性】
【００２９】
水性のボールペン、マーキングペンなどの筆記具に好適な消しゴム消去性筆記具用水性インク組成物が得られる。